(57)【要約】【課題】チャイルドレジスタンス機能と、大人が容器の蓋を容易に蓋を開けることが出来る機能とを有する容器を提供すること。【解決手段】底面部11から立ち上がる側壁12を有し底面部11に対向する側に開口部13が形成された容器本体1と、容器本体の開口部の外縁に沿って設けられたフランジに組み付く支持枠２と、支持枠に組み付く外縁部を有し開口部を閉塞する蓋体３とからなる閉蓋具付き容器であって、支持枠は容器本体の外側に垂下設される支持枠外周壁２３を有し、蓋体は容器本体の外側に垂下設される蓋体外周壁３３を有しており、支持枠には蓋体に設けられた弾性変形部３４と係合する係合部２４が設けられ、弾性変形部が係合部に対して外側から係合することにより開口部を閉塞状態にする第１ロック状態と、係合部が弾性変形部に対して外側から係合し弾性変形部を内側に反転させることにより開口部を閉塞状態にする第２ロック状態と、を設定した。【選択図】図１
2019131263.tif 000002
【特許請求の範囲】
【請求項１】
底面部（１１）から立ち上がる側壁（１２）を有し、前記底面部（１１）に対向する側に開口部（１３）が形成された容器本体（１）と、
前記容器本体（１）の開口部（１３）の外縁に沿って設けられたフランジ（１４）に組み付く支持枠（２）と、
前記支持枠（２）に組み付く外縁部を有し前記開口部（１３）を閉塞する蓋体（３）と、
からなる閉蓋具付き容器であって、
前記支持枠（２）は、前記容器本体（１）の外側に垂下設される支持枠外周壁（２３）を有し、前記蓋体（３）は、前記容器本体（１）の外側に垂下設される蓋体外周壁（３３）を有しており、
前記支持枠（２）には、前記蓋体（３）に設けられた弾性変形部（３４）と係合する係合部（２４）が設けられ、
前記弾性変形部（３４）が前記係合部（２４）に対して外側から係合することにより、前記開口部（１３）を閉塞状態にする第１ロック状態と、
前記係合部（２４）が前記弾性変形部（３４）に対して外側から係合し前記弾性変形部を内側に反転させることにより、前記開口部（１３）を閉塞状態にする第２ロック状態と、を設定可能であることを特徴とする閉蓋具付き容器。
【請求項２】
前記弾性変形部（３４）は、前記蓋体外周壁（３３）に両端部（３４１）を介して設けられ、前記両端部（３４１）間で反転可能な帯状部分を形成していることを特徴とする、請求項１に記載された閉蓋具付き容器。
【請求項３】
前記支持枠（２）には、前記係合部（２４）と連動して動く摘み部（２５）が設けられており、前記摘み部（２５）は前記第１のロック状態および第２のロック状態が作用して前記開口部が閉塞状態になっている際に、前記弾性変形部（３４）の少なくとも片側一方に位置するように設けられていることを特徴とする、請求項１又は請求項２に記載された閉蓋具付き容器。
【請求項４】
前記摘み部（２５）は、前記係合部（２４）の両側に設けられていることを特徴とする、請求項３に記載された閉蓋具付き容器。
【請求項５】
前記支持枠（２）は、前記フランジ（１４）の上面に接触する支持枠上面壁（２１）と、前記支持枠上面壁（２１）から前記側壁（１２）の内周面に当接して前記底面部（１１）に向かって形成された支持枠内周壁（２２）と、前記支持枠上面壁（２１）から前記容器本体（１）の外側に垂下設される支持枠外周壁（２３）を有し、
前記蓋体（３）は、前記支持枠上面壁（２１）に載置される蓋体上面壁（３１）と、前記蓋体上面壁（３１）から前記支持枠内周壁（２２）に当接するように形成された蓋体内周壁（３２）と、前記蓋体上面壁（３１）から前記容器本体（１）の外側に垂下設される蓋体外周壁（３３）を有し、
前記蓋体外周壁（３３）に、前記支持枠外周壁（２３）下端部（２６）近傍に設けられた前記係合部（２４）と係合する前記弾性変形部（３４）が設けられていることを特徴とする、請求項１から請求項４のいずれか１項に記載された閉蓋具付き容器。
【請求項６】
前記蓋体（３）が前記支持枠（２）に対しヒンジ部（４）を介して連結されていることを特徴とする、請求項１から請求項５のいずれか１項に記載された閉蓋具付き容器。
【発明の詳細な説明】
【技術分野】
【０００１】
本発明は、子供等がいたずらに容器の蓋を外すことを防止できる、いわゆるチャイルドレジスタンス機能と、大人が蓋を開ける際には、容易に容器の蓋を外して開けることが出来る機能との２つの機能を有する閉蓋具付き容器に関するものである。
【背景技術】
【０００２】
従来の容器には、例えば、幼児などの子供等が周囲の大人のしぐさをまねて、容器内に収容されている内容物の特性（例えば、危険があるもの）を理解せずに、容器の蓋を外して内容物にいたずらをしたり、内容物をこぼしたりすることを防止するため、子供等では蓋を容易に外せないように、チャイルドレジスタンス機能を有しているものが存在する（特許文献１）。
【０００３】
特許文献１に記載された閉蓋具付き容器は、開口部の上端から外鍔状に周設されたフランジ５を有する容器本体２の前記フランジ５に組み付く支持枠１１の頂壁に、弾性体２０を配することにより、支持枠１１に組み付く外縁部１３を有し、前記開口部を閉塞する蓋体１を上方に持ち上げるように付勢する構成としている。更に、蓋体１の外周に垂下設された遮蔽壁１２に設けたつまみ部１７の裏側のつまみ係止片１８が、前記支持枠１１の外周壁２２を乗り越え支持枠１１に係止される構成となっている。
【０００４】
上述した構成により、特許文献１に記載されている閉蓋具付き容器では、蓋体１を外す際には、弾性体２０による蓋体１を上方に持ち上げる付勢力を押さえつける操作と、つまみ係止片１８が外周壁２２を乗り越えるために引っ張る操作の２つの操作が必要となることから、子供等が簡単には蓋体１を取り外すことができないため、チャイルドレジスタンス機能を十分に発揮する構成となっている。
【先行技術文献】
【特許文献】
【０００５】
【特許文献１】特開２０１６−６９００９号公報
【発明の概要】
【発明が解決しようとする課題】
【０００６】
一方で、大人が容器の蓋を外して開ける際には、通常、大人は子供等と違って容器内に収容されている内容物の特性は理解することができるので、容器は、簡単に蓋が外れる構造を有するものがよい。
すなわち、大人が容器の蓋を外して開ける時は開け易く、子供がいたずらに蓋を外して開けようとするときは、チャイルドレジスタンス機能がしっかりと発揮できる容器が望まれている。
【０００７】
そこで本発明はこの様な問題に鑑みなされたものであり、その目的は、チャイルドレジスタンス機能を有すると共に、大人が容器の蓋を開ける際には、容易に蓋を開けることが出来る機能（以下、「蓋開け簡易機能」という）も有する閉蓋具付き容器を提供することにある。
【課題を解決するための手段】
【０００８】
上記課題を解決するために、本発明の第１の態様に係る閉蓋具付き容器は、底面部から立ち上がる側壁を有し、前記底面部に対向する側に開口部が形成された容器本体と、前記容器本体の開口部の外縁に沿って設けられたフランジに組み付く支持枠と、前記支持枠に組み付く外縁部を有し前記開口部を閉塞する蓋体と、からなる閉蓋具付き容器であって、前記支持枠は、前記容器本体の外側に垂下設される支持枠外周壁を有し、前記蓋体は、前記容器本体の外側に垂下設される蓋体外周壁を有しており、前記支持枠には、前記蓋体に設けられた弾性変形部と係合する係合部が設けられ、前記弾性変形部が前記係合部に対して外側から係合することにより、前記開口部を閉塞状態にする第１ロック状態と、前記係合部が前記弾性変形部に対して外側から係合し前記弾性変形部を内側に反転させることにより、前記開口部を閉塞状態にする第２ロック状態と、を設定可能であることを特徴とする。
【０００９】
本態様によれば、第1ロック状態と第２ロック状態という２つのロック状態を有することで、蓋開け簡易機能とチャイルドレジスタンス機能と、を併設できるという効果を有している。
例えば、第１ロック状態では蓋開け簡易機能を、第２ロック状態ではチャイルドレジスタンス機能を、と各ロック状態に対応させて蓋開け簡易機能とチャイルドレジスタンス機能を設けることができる。
【００１０】
本発明の第２の態様に係る閉蓋具付き容器は、第１の態様において、前記弾性変形部は、前記蓋体外周壁に両端部を介して設けられ、前記両端部間で反転可能な帯状部分を形成していることを特徴とする。
【００１１】
本態様によれば、第１の態様の効果に加え、弾性変形部は、蓋体外周壁に両端部を介して設けられており、両端部間で反転可能な帯状部分を形成していることから、係合部が帯状部分を形成する弾性変形部と係合することにより、第１ロック状態及び第２ロック状態を弾性変形部が反転する状態に合わせて設定することが可能となる。
【００１２】
本発明の第３の態様に係る閉蓋具付き容器は、第１の態様又は第２の態様において、前記支持枠には、前記係合部と連動して動く摘み部が設けられており、前記摘み部は前記第１のロック状態および第２のロック状態が作用して前記開口部が閉塞状態になっている際に、前記弾性変形部の少なくとも片側一方に位置するように設けられていることを特徴とする。
【００１３】
本態様によれば、第１の態様、第２の態様の効果に加え、係合部と連動して動く摘み部が設けられていることにより、わざわざ係合部を操作しなくても、摘み部の簡単な操作（例えば、内側に向かって押したり、外側に持ち上げたり等）により、係合部と弾性変形部を係合させたり、当該係合を解除したりすることができる。
【００１４】
本発明の第４の態様に係る閉蓋具付き容器は、第３の態様において、前記摘み部は、前記係合部の両側に設けられていることを特徴とする。
【００１５】
本態様によれば、第３の態様の効果に加え、摘み部を係合部の両側に設けることにより、両方の摘み部を操作（例えば、内側に向かって押したり、外側に持ち上げたり等）することにより、摘み部からの力が両側から均等に係合部に伝わり、確実に係合部と弾性変形部を係合させたり、係合を解除させたりすることができる。
【００１６】
本発明の第５の態様に係る閉蓋具付き容器は、第１から第４の態様のいずれか一の態様において、前記支持枠は、前記フランジの上面に接触する支持枠上面壁と、前記支持枠上面壁から前記側壁の内周面に当接して前記底面部に向かって形成された支持枠内周壁と、前記支持枠上面壁から前記容器本体の外側に垂下設される支持枠外周壁を有し、前記蓋体は、前記支持枠上面壁に載置される蓋体上面壁と、前記蓋体上面壁から前記支持枠内周壁に当接するように形成された蓋体内周壁と、前記蓋体上面壁から前記容器本体の外側に垂下設される蓋体外周壁を有し、前記蓋体外周壁に、前記支持枠外周壁下端部近傍に設けられた前記係合部と係合する前記弾性変形部が設けられていることを特徴とする。
【００１７】
本態様によれば、第１から第４の態様の効果に加え、蓋体の外周壁に弾性変形部が設けられ、支持枠外周壁下端部の近傍に係合部が設けられているので、各外周壁の部分で、第１ロック状態及び第２ロック状態を設けることができるので、ユーザーが各外周壁の一部のみを操作するだけで、係合部と弾性変形部を係合させたり、係合を解除させたりすることができる。
【００１８】
本発明の第６の態様に係る閉蓋具付き容器は、第１から第５の態様のいずれか一の態様において、前記蓋体が前記支持枠に対しヒンジ部を介して連結されていることを特徴とする。
本態様によれば、蓋体と支持枠とを一体に成形することが可能となり、製造コストの低減を図ることが可能となる。
【発明の効果】
【００１９】
本発明は、第１ロック状態及び第２ロック状態を設定可能とすることで、チャイルドレジスタンス機能と、蓋開け簡易機能の双方の機能を十分に発揮することができる。
【図面の簡単な説明】
【００２０】
【図１】（Ａ）は、本発明に係る閉蓋具付き容器の実施形態を示す平面図、（Ｂ）は正    面図
【図２】図１（Ｂ）のＩ−Ｉ線の断面図。
【図３】図２おいて、蓋体が空いた状態の断面図。
【図４】（Ａ）は、本発明に係る閉蓋具付き容器の実施形態における第1ロック状態部    分の斜視図、（Ｂ）は（Ａ）のＩＩ−ＩＩ線の断面図。
【図５】（Ａ）は、本発明に係る閉蓋具付き容器の実施形態における第２ロック状態部    分の斜視図、（Ｂ）は（Ａ）のＩＩＩ−ＩＩＩ線の断面図。
【図６】（Ａ）〜（Ｃ）は、第1ロック状態から第２ロック状態へ移行する際の断    面図。
【発明を実施するための形態】
【００２１】
以下、図面を参照しながら本発明に係る閉蓋具付き容器の実施形態について説明するが、本発明は当該実施形態に限定されるものではない。
図１（Ａ）は本発明の実施態様に係る閉蓋具付き容器の平面図であり、図１（Ｂ）は正面図である。図２は、図１（Ｂ）のI−I線における断面図、図３は、図２において蓋体３が開いた状態の断面図である。
なお、図１（Ａ）を例にとると、紙面下側を閉蓋具付き容器Ａの前方（前側）、紙面上側を閉蓋具付き容器Ａの後方（後側）とする。また、右側を右側面、左側を左側面とする。
また、側壁１２に向かう方向を内側、側壁１２から離れる方向を外側とする。
【００２２】
本態様における閉蓋具付き容器Ａは、合成樹脂を、例えば射出成形することにより形成されたものである。
図１〜図３には、底面部１１から立ち上がる側壁１２を有し、底面部１１に対向する側に開口部１３（図３）が形成された容器本体１と、開口部１３の外縁に沿って設けられたフランジ１４（図２等）に組み付く支持枠２と、支持枠２に組み付く外縁部を有し開口部１３を閉塞する蓋体３からなる閉蓋具付き容器Ａが示されている。
本態様では、容器本体１は有底角筒状の形状を有しているが、当該形状に限定されるものではない。例えば円形形状のものであってもよい。この容器本体１には、例えば粉体状に形成した又はフィルムによって覆われる液体を略ボール状の形成した洗剤等の内容物が収納される。
【００２３】
本態様の閉蓋具付き容器Ａは、図１（Ｂ）に示すように、開口部１３の外縁に沿ってフランジ１４が設けられており、フランジ１４に組み付く様に支持枠２が設けられている。
支持枠２は、フランジ１４の上面に接触する支持枠上面壁２１と、支持枠上面壁２１から側壁１２の内周面に当接して底面部１１に向かって形成された支持枠内周壁２２と、支持枠上面壁２１から容器本体１の外側に垂下設される支持枠外周壁２３とを有して構成されており、それぞれがフランジ１４を囲むようにして、フランジ１４に組み付いている。
ここで、支持枠２の素材は金属製等でもよいが、容器本体１と同じ素材である合成樹脂であることが好ましい。
【００２４】
支持枠２に組み付く蓋体３は、支持枠上面壁２１に載置される蓋体上面壁３１と、蓋体上面壁３１から支持枠内周壁２２に当接するように形成された蓋体内周壁３２と、蓋体上面壁３１から容器本体１の外側に垂下設される蓋体外周壁３３とを有して構成されており、それぞれがフランジ１４を囲むようにして、支持枠２に組み付いている（図１（Ｂ）、拡大図等）。また、蓋体内周壁３２の下端部に開口部１３を覆う蓋板３５（図１（Ａ））が連接されている（図２）。
【００２５】
また、閉蓋具付き容器Ａの後側の上部においては、蓋体３は支持枠２とヒンジ部４を介して連結されている（図１（Ａ）、図２、図３）。
一方、閉蓋具付き容器の前側においては、蓋体３の蓋体外面壁３３の中央部に、帯状の弾性変形部３４が設けられている（図１（Ａ））。
【００２６】
弾性変形部３４は、蓋体外面壁３３に両端部３４１を介して連接され、一方の端部３４１と他方の端部３４１との間に反転可能な帯状部分が設けられている。蓋体外周壁３３と帯状部分との間に空間ｄが設けられ、両端部３４１を起点に内側へ帯状部分を反転可能としている。
【００２７】
そして、図１（Ｂ）に示すように弾性変形部３４は、支持枠外周壁２３の支持枠外周壁下端部２６近傍に設けられた係合部２４と係合し、蓋体３を閉じる構造になっている（この点については後述する）。また、支持枠外周壁２３の支持枠外周壁下端部２６から２つの摘み部２５が垂下設されている。これら摘み部２５は、蓋体３が閉じられた状態では、弾性変形部３４の両側（両端部３４１の外側）に位置するように設けられている。摘み部２５と係合部２４は支持枠外周壁２３に設けられており、係合部２４と連動可能な構造となっている。摘み部２５は、係合部２４を間接的に動かす目的で設けられている。したがって、摘み部２５と係合部２４は近傍位置に設けられていることが望ましい。なお、本態様では、摘み部２５を２つ設ける態様としたが、弾性変形部３４の片側に１つであっても、２つ以上であっても構わない。また、摘み部２５は、弾性変形部３４の近傍位置に設けることが望ましい。
【００２８】
蓋体３は、弾性変形部３４と係合部２４との係合を解除した後、蓋体３を持ち上げることにより、図３に示したように、ヒンジ部４を軸として蓋体が回動することにより開けることができる。本態様では、図１（Ａ）に示したように、ヒンジ部４を平面視長辺方向にほぼ全体にわたって蓋体３と支持枠２と一体に設けたが、複数個に分けて設けることとしてもよい。また、ヒンジ部４は別体としてもよい。
【００２９】
次に、本発明における第１ロック状態及び第２ロック状態について、図４〜図６を参照にしながら説明する。まず、図４を参照に第1ロック状態について説明する。
図４（Ａ）には、本態様に係る第１ロック状態部分の斜視図が、図４（Ｂ）には（Ａ）のＩＩ−ＩＩ線における断面図が記載されている。
【００３０】
第１ロック状態は、大人が容器の蓋を開ける際に、容易に蓋を開けることが出来る機能、すなわち、蓋開け簡易機能を有効にするための状態である。
弾性変形部３４は、その両方の端部３４１において蓋体外周壁３３に連接されている。そして、第１ロック状態においては、弾性変形部３４は、一方の端部３４１から他方の端部３４１の間に、反転可能な帯状部分が設けられており、蓋体外周壁３３と帯状部分との間に空間ｄが設けられ、両端部３４１を起点に内側へ帯状部分を反転可能としている。
【００３１】
また、係合部２４は、正面側の支持枠外周壁２３の支持枠外周壁下端部２６（図１（Ａ）参照）近傍に垂下設され、下端部には弾性変形部３４と係合するアンダーカット部２４１が設けられている。
詳説すると、弾性変形部３４を蓋体外周壁３３の外側へ変形させることで、弾性変形部３４の弾性変形部上面３４２が、アンダーカット部２４１のアンダーカット部下面２４２と係合し、弾性変形部３４が外側からアンダーカット部２４１を内側方向に押圧するように作用することにより、弾性変形部３４と係合部２４が係合して、蓋体３が開かない状態（蓋体３が閉じられた状態）になっている。
【００３２】
次に、図４（Ｂ）を参照して、第１ロック状態を解除して蓋体３を開ける際の手順について説明する。ここで、図４（Ｂ）において、ｉは１番目の操作を示し、ｉｉは２番目の操作を示している。
【００３３】
最初に摘み部２５をｉの矢印方向に押し込むと（１番目の操作）、係合部２４は摘み部２５と連動するので、係合部２４もｉの矢印方向に移動し、弾性変形部３４と係合部２４（アンダーカット部２４１）が離れ、弾性変形部３４と係合部２４の係合が解かれる。すなわち、第１ロック状態が解除される。次に、弾性変形部３４を持ってｉｉの矢印方向に持ち上げることにより（２番目の操作）蓋体３を開けることが出来る。
なお、直接、係合部２４をｉの矢印方向に押し込んで、弾性変形部３４と係合部２４の係合を解除してもよい。また、弾性変形部３４と係合部２４の係合を解除した後、蓋体３をｉｉの矢印方向に持ち上げる際には、弾性変形部３４の近傍を持って持ち上げても良い。
【００３４】
再度第１ロック状態にするには、蓋体３を閉める際に弾性変形部３４と係合部２４を係合させればよい。すなわち、弾性変形部３４の弾性変形部上面３４２とアンダーカット部２４１のアンダーカット部下面２４２が係合するまで、底面部１１（図３等）方向に蓋体３を押し込めばよい。
【００３５】
この様に、第１ロック状態では、摘み部２５を操作するだけで、簡単に弾性変形部３４と係合部２４の係合を解除できるため、容器に収容されている内容物の特性を理解している大人にとっては、容器の蓋を開ける際には、簡単に蓋を開けることができる。
【００３６】
次に、図５及び図６を参照にして第２ロック状態について説明する。なお、図４と重複する部分については詳しい説明を省略し、異なる部分を中心に説明する。
図５（Ａ）には、本態様における第２ロック状態部分の斜視図が、図５（Ｂ）には、図５（Ａ）のＩＩＩ−ＩＩＩ線における断面図が記載され、図６には第1ロック状態から第２ロック状態へ移行する際の断面図が記載されている。
【００３７】
第２ロック状態は、子供等がいたずらに容器の蓋を外すことを防止できる、いわゆるチャイルドレジスタンス機能を有効にするための状態である。
図５（Ａ）（Ｂ）に示されているように、第２ロック状態では、第１ロック状態とは弾性変形部３４と係合部２４の位置関係が異なっている。
【００３８】
第２ロック状態では、弾性変形部３４を蓋体外周壁３３の内側へ反転させることで、係合部２４（係合部の内壁２４３）が、弾性変形部３４の外側から係合して、蓋体３が開かない状態（蓋体３が閉じられた状態）になっている。換言すると、弾性変形部３４は、内側に向かって係合部２４に抑え込まれて凹むように変形し係合部２４と係合している。このため蓋体３は簡単には外れない状態になっている。この結果、チャイルドレジスタンス機能が有効に働く構造になっている。
従って、図５（Ｂ）に示した矢印方向に子供等が蓋体３を持ち上げて開けようとしても、蓋体３は簡単に外れないので、開くことはできない。
【００３９】
最後に、第１ロック状態から第２ロック状態へ移行する際の手順及び第２ロック状態を解除して蓋体３を開ける際の手順について説明する。
図６（Ａ）〜（Ｃ）は、第1ロック状態から第２ロック状態へ移行する際の断面図である。
図６（Ａ）には、第１ロック状態部分の断面図が記載されている。子供等に蓋体３を開けさせたくない場合は、第２ロック状態にしてチャイルドレジスタンス機能を有効にする必要がある。その際には、第１ロック状態から第２ロック状態への移行が必要になる。
【００４０】
図６（Ｂ）、は、第１ロック状態から第２ロック状態（図６（Ｃ））へ移行する際の手順を示している。図６（Ｂ）において、ｉは１番目の操作を示し、ｉｉは２番目の操作を示している。
【００４１】
図６（Ａ）の状態から、図６（Ｂ）に示すように、摘み部２５をｉの矢印方向に持ち上げていくと（１番目の操作）、弾性変形部３４の内周面と接触している係合部２４のアンダーカット部２４１との係合が解除される。その後、弾性変形部３４をｉｉの矢印方向に押し込んでいくと（２番目の操作）、内側へ反転して係合部２４内へ収納される。係合部２４内に収納された弾性変形部３４は、係合部２４の内側の面を形成している内壁２４３の一部と当接、すなわち、係合部２４の内壁２４３の上端面部分と係合、することで第２ロック状態が完成する（図６（Ｃ））。
【００４２】
第２ロック状態を解除するには、図６（Ｃ）の状態から摘み部２５をiの矢印方向に持ち上げてから弾性変形部３４を引き上げればよい。そうすれば蓋体３を開けることができる（図３）。
【００４３】
なお、本態様では、摘み部２５、係合部２４、弾性変形部３４が閉蓋具付き容器Ａの正面側（図１（Ｂ））に設けられているが、側面側に形成してもよい。また、複数箇所に設けることも可能である。
【産業上の利用可能性】
【００４４】
本発明によれば、蓋体を有する容器において、チャイルドレジスタンス機能を有すると共に、容易に蓋体を開けることが出来る蓋開け簡易機能も有する、容器の分野に用途展開が可能である。
【符号の説明】
【００４５】
１    ：容器本体
２    ：支持枠
３    ：蓋体
４    ：ヒンジ部
１１  ：底面部
１２  ：側壁
１３  ：開口部
１４  ：フランジ
２１  ：支持枠上面壁
２２  ：支持枠内周壁
２３  ：支持枠外周壁
２４  ：係合部
２５  ：摘み部
２６  ：支持枠外周壁下端部
３１  ：蓋体上面壁
３２  ：蓋体内周壁
３３  ：蓋体外周壁
３４  ：弾性変形部
２４１：アンダーカット部
２４２：アンダーカット部下面
２４３：係合部内壁
３４１：弾性変形部端部
３４２：弾性変形部上面
Ａ    ：閉蓋具付き容器
ｄ    ：隙間
【図１】
2019131263.tif 000003
【図２】
2019131263.tif 000004
【図３】
2019131263.tif 000005
【図４】
2019131263.tif 000006
【図５】
2019131263.tif 000007
【図６】
2019131263.tif 000008